(57)【要約】【課題】  複数の番組情報配信サービスを有効に利用して番組の出演者をリストアップすることのできる番組記録装置および出演者リスト作成方法を提供する。【解決手段】  番組記録装置が、複数の番組情報提供サービスから提供される番組情報を取得し、取得された複数の番組情報提供サービスの番組情報に基づき、番組の出演者を表す出演者リストを作成、記憶し、この記憶に基づき出演者リストを表示する。【選択図】図１
2006080803.tif 000002
【特許請求の範囲】
【請求項１】
複数の番組情報提供サービスから提供される番組情報を取得する番組情報取得部と、
前記取得された複数の番組情報提供サービスの番組情報に基づき、番組の出演者を表す出演者リストを作成する出演者リスト作成部と、
前記作成された出演者リストを記憶するリスト記憶部と、
前記リスト記憶部に記憶された出演者リストを表示する表示部と、
を具備することを特徴とする番組記録装置。
【請求項２】
前記番組情報取得部で取得される番組情報に基づき、前記記憶された出演者リストを更新するリスト更新部、
をさらに具備することを特徴とする請求項１記載の番組記録装置。
【請求項３】
前記リスト更新部が、前記複数の番組情報提供サービスから提供される番組情報のいずれにも含まれない出演者を前記出演者リストから削除する出演者削除部を有する
ことを特徴とする請求項２に記載の番組記録装置。
【請求項４】
複数の番組情報提供サービスから提供される番組情報を取得するステップと、
前記取得された複数の番組情報提供サービスの番組情報に基づき、番組の出演者を表す出演者リストを作成するステップと、
前記作成された出演者リストを記憶するステップと、
を具備することを特徴とする出演者リスト作成方法。
【請求項５】
前記番組情報に基づき、前記記憶された出演者リストを更新するステップ、
をさらに具備することを特徴とする請求項４記載の出演者リスト作成方法。
【請求項６】
前記出演者リストを更新するステップが、前記複数の番組情報提供サービスから提供される番組情報のいずれにも含まれない出演者を前記出演者リストから削除するステップを有する
ことを特徴とする請求項５に記載の出演者リスト作成方法。
【発明の詳細な説明】
【技術分野】
【０００１】
本発明は、電子番組ガイドを用いて番組の録画設定を行うことのできる番組記録装置と、電子番組ガイドの情報に基づいて出演者リストを作成する出演者リスト作成方法に関する。
【背景技術】
【０００２】
地上波放送や衛星放送などのテレビジョン放送の普及に伴い、テレビジョン放送の放送番組を記録し再生するための番組記録装置が広く普及してきている。番組記録装置は、従来、映像信号および音声信号をテープ媒体などに記録するものが大半であったが、ディジタル信号処理技術の発達により、ハードディスクや光ディスクなどの記録媒体に放送番組をディジタル信号として記録する番組記録装置も登場している。一般に番組記録装置はタイマーなどを内蔵しており、あらかじめ日時を指定することで自動的に番組を録画する録画予約機能を備えている。
【０００３】
従来、録画予約のためには、所望の放送番組が放送される日時をユーザ自らがタイマー装置などに設定する必要があった。こうしたユーザの負担を軽減するための方法として、電子番組ガイド（ＥＰＧ：Electronic Program Guide）がある。番組記録装置は、放送波あるいはインターネットよりＥＰＧのデータを取得して内部に保存し、このＥＰＧデータから各放送局の番組表を作成して表示させることができる。表示された番組表の中からユーザによって所望の放送番組が選択されるとともに録画予約が指示されると、番組記録装置はその指示された放送番組の放送局、日時などのデータをＥＰＧデータから検索し、録画予約機能に設定する（例えば特許文献１）。
【特許文献１】特開２００４−０８８２８２号公報
【発明の開示】
【発明が解決しようとする課題】
【０００４】
ＥＰＧデータには番組の出演者の情報が含まれていることから、ＥＰＧデータから番組の出演者を抽出して、録画予約等の際に利用することができる。
ここで、ＥＰＧデータの配信サービスには、放送波に重ねてＥＰＧデータを配信するサービス形態のもの、インターネットを通じて配信する形態のもの、その他電話回線を用いたものなどがある。これらＥＰＧデータの配信サービスは各々に特徴をもっており、たとえば、番組情報の詳しさ、提供放送チャンネル数などに違いがある。また、特定の放送に特化した配信サービスもある。
しかしながら、従来の番組記録装置では、固定的に決められた種類のＥＰＧ配信サービス（以下、「ＥＰＧソース」という）から出演者を抽出しており、複数のＥＰＧソースを有効に利用して出演者をリストアップすることが困難であった。
本発明はこのような事情を鑑み、複数の番組情報配信サービスを有効に利用して番組の出演者をリストアップすることのできる番組記録装置および出演者リスト作成方法を提供することを目的とする。
【課題を解決するための手段】
【０００５】
かかる目的を達成するために、本発明の番組記録装置は、複数の番組情報提供サービスから提供される番組情報を取得する番組情報取得部と、前記取得された複数の番組情報提供サービスの番組情報に基づき、番組の出演者を表す出演者リストを作成する出演者リスト作成部と、前記作成された出演者リストを記憶するリスト記憶部と、前記リスト記憶部に記憶された出演者リストを表示する表示部と、を具備することを特徴とする。
【発明の効果】
【０００６】
本発明によれば、複数の番組情報配信サービスを有効に利用して番組の出演者をリストアップすることのできる番組記録装置および出演者リスト作成方法を提供することができる。
【発明を実施するための最良の形態】
【０００７】
以下、図面を参照して本発明の実施の形態について説明する。
図１は、本発明の一実施形態に係る番組記録装置の構成を示すブロック図である。
同図に示すように、番組記録装置１００は、システム全体の制御を行うシステム制御部１０を有している。システム制御部１０はＣＰＵ１１と、ファームウェアや各種データが固定的に格納されたＲＯＭ１２と、ＣＰＵ１１の作業エリアなどとして用いられるＲＡＭ１３とを備える。システム制御部１０には、バス１５を通じて、ＥＰＧ管理部２０、リモコンインタフェース部３１、チューナ部３２、情報記録再生部３３、ＥＰＧ画面構成部３４、ネットワーク接続部３５などが接続されている。
【０００８】
ＥＰＧ管理部２０は、ＥＰＧデータ取得部２１、ＥＰＧデータ記憶部２２、番組表作成部２３、番組表情報記憶部２４、出演者リスト作成・更新部２５，出演者リスト記憶部２６、管理テーブル記憶部２７などを有している。
ＥＰＧデータ取得部２１は、放送波に含まれるＥＰＧデータおよびインターネット上のＥＰＧデータをそれぞれ取得してＥＰＧデータ記憶部２２に記録する。番組表作成部２３は管理テーブル記憶部２７の情報とＥＰＧデータ記憶部２２に記憶されたＥＰＧデータとを用いてユーザに提供する番組表の情報を作成する。番組表情報記憶部２４は番組表作成部２３によって作成された番組表の情報を記憶する。出演者リスト作成・更新部２５は，ＥＰＧデータ記憶部２２に記憶されたＥＰＧデータを用いて番組の出演者のリスト（出演者リスト）を作成、更新する。出演者リスト記憶部２６は、出演者リスト作成・更新部２５で作成、更新された出演者リストを記憶する。管理テーブル記憶部２７は、放送チャンネルごとのＥＰＧソース（番組情報提供サービス）の割り当てを管理するためのテーブルを記憶する。
【０００９】
図２は、管理テーブルの一例を表す模式図である。放送ネットワークの名称と、受信チャンネル、この受信チャンネルのＡＤＡＭＳコード、ｉＮＥＴコードが対応して表されている。即ち、この例では、管理テーブルにＥＰＧソースとしてのＡＤＡＭＳおよびｉＮＥＴそれぞれでの受信チャンネルを表すコードが表されている。
ここでは、全てのチャンネルにＡＤＡＭＳ、ｉＮＥＴの双方が割り当てられているが、チャンネルによりその１方のみを割り当てることができる。また、３つ以上のＥＰＧソースを割り当ててもよい。
【００１０】
図３は、出演者リストの一例を表す模式図である。番組の出演者の氏名、読み、この出演者のＡＤＡＭＳ上およびｉＮＥＴ上それぞれで情報の有無が対応して表され、出演者の氏名のあいうえお順に配列されている。ＡＤＡＭＳ上およびｉＮＥＴ上での情報の有無は、「０：情報無し」、「１：情報有り」で表される。以下、ＡＤＡＭＳ上およびｉＮＥＴ上での情報の有無を表す情報をＡＤＡＭＳフラグ、ｉＮＥＴフラグと呼ぶこととする。
この出演者リストは、番組情報の検索、番組情報の表示等種々に利用することができる。
【００１１】
リモコンインタフェース部３１は、ユーザからの指示を入力するためのリモートコントローラ（以下「リモコン」と記述）４１とのインタフェース部である。チューナ部３２は、アンテナ４２などから取り込まれるディジタル放送の放送波から所望の放送波を選局する。また、ディジタル放送の放送波は、アンテナ４２から取り込まれるものに限られず、ケーブルテレビ局などからケーブルを介して取り込まれる。
【００１２】
逆多重化部４３は、放送波に多重化された音声信号、映像信号およびＥＰＧデータ信号をそれぞれ分離して復号部４４へ出力する。復号部４４は、逆多重化部４３にて分離した音声信号、映像信号およびＥＰＧデータ信号をそれぞれ復号して、ディジタル音声信号、ディジタル映像信号およびディジタルＥＰＧデータ信号として出力制御部４５、情報記録再生部３３およびバス１５に出力する。ＥＰＧ画面構成部３４は、番組表、出演者リスト等の表示画面の構成等を行う。出力制御部４５は、復号されたディジタル音声信号およびディジタル映像信号を出力用の音声信号および映像信号に変換する。音声出力部４６は出力制御部４５からの出力用の音声信号をスピーカなどの図示せぬ音声出力装置に出力する。画像出力部４７は出力制御部４５からの出力用の映像信号を例えば液晶ディスプレイなどの図示せぬ表示装置に出力する。
【００１３】
情報記録再生部３３は、例えばハードディスクドライブ、ＤＶＤなどの書き替え可能な記録媒体を有し、復号部４４により復号されたディジタル音声信号およびディジタル映像信号を上記の記録媒体に記録する。また、情報記録再生部３３は、記録媒体に記録されたディジタル音声信号およびディジタル映像信号を再生して復号部４４に出力する。
【００１４】
ネットワーク接続部３５は、インターネット上に公開されたＥＰＧデータをダウンロードしたりするためにインターネットとの接続を行う手段である。
【００１５】
（番組記録装置１００の動作）
次に、この番組記録装置１００の動作を説明する。
既述のように、この番組記録装置１００では、ＥＰＧデータの取得、これらに基づく出演者リストの作成、更新が行われる。
【００１６】
Ａ．ＥＰＧデータの取得
ＥＰＧデータを取得する動作について説明する。
ＥＰＧデータの取得手順には、放送波から取得する手順とインターネット上から取得する手順の２つがある。
【００１７】
（１）ＥＰＧデータが放送される時間帯は決められている。ＥＰＧ管理部２０のＥＰＧデータ取得部２１はＥＰＧデータの放送時間になると、チューナ部３２を制御してＥＰＧデータを含む放送波を選局する。
チューナ部３２より出力されたＥＰＧデータを含む信号は、暗号の解除が行われた後、逆多重化部４３にて音声信号、映像信号およびＥＰＧデータ信号に分離される。分離されたＥＰＧデータ信号は復号部４４にてディジタル信号に復調され、ＥＰＧ管理部２０に送られる。ＥＰＧ管理部２０のＥＰＧデータ取得部２１は取得したＥＰＧデータをＥＰＧデータ記憶部２２に記憶する。このとき、管理テーブルによって必要なチャンネルのＥＰＧデータが選別して記憶される。
【００１８】
（２）インターネット上のＥＰＧデータを取得する場合には、ＥＰＧ管理部２０のＥＰＧデータ取得部２１は、インターネット上のＥＰＧデータの配信サービスを行うサーバに向けて、ネットワーク接続部３５を通じてＥＰＧデータのリクエストを送信することで、ＥＰＧデータをダウンロードする。このとき、管理テーブルによって必要なチャンネルのＥＰＧデータがリクエスト、ダウンロードされる。ダウンロードされたＥＰＧデータはＥＰＧ管理部２０のＥＰＧデータ記憶部２２に記憶される。
以上のように、放送波、インターネットのいずれのＥＰＧデータにおいても管理テーブルによって必要なチャンネルの情報が選別されて、ＥＰＧデータ記憶部２２に記憶される。
【００１９】
Ｂ．出演者リストの作成
次に、ＥＰＧデータ記憶部２２に記憶されたＥＰＧデータから、出演者リストを作成する動作を説明する。
図４は出演者リストの作成手順の一例を示すフローチャートである。
（１）出演者リスト作成・更新部２５は、出演者リストの作成命令を受けると、ＥＰＧデータ記憶部２２に記憶されているＥＰＧソースＡ（例えば、ＡＤＡＭＳ）のＥＰＧデータから、出演者の氏名の情報を取得し出演者リストを作成する。
具体的には、ＥＰＧデータ記憶部２２に記憶されているＡＤＡＭＳ情報（ＡＤＡＭＳのＥＰＧデータ）中の出演者全員が出演者リストに登録されていなければ（ステップＳ１１）、ＡＤＡＭＳ情報から出演者を順に取り出す（ステップＳ１２）。取り出した出演者の名称が未登録であれば（ステップＳ１３）、出演者リストに氏名、およびその読みを追加する（ステップＳ１４）。その後、出演者リストのＡＤＡＭＳフラグを１として（ステップＳ１５）、ＡＤＡＭＳ情報中にその出演者が存在することを登録しておく。
【００２０】
（２）ＡＤＡＭＳ情報中の出演者全員が登録されたら（ステップＳ１１）、出演者リスト作成・更新部２５は、ＥＰＧデータ記憶部２２に記憶されているＥＰＧソースＢ（例えば、ｉＮＥＴ）のＥＰＧデータから、出演者の氏名の情報を取得し出演者リストを作成する（ステップＳ２１〜Ｓ２５）。この手順は、ＥＰＧソースＡの場合とほぼ同様であるので、詳細な説明を省略する。
【００２１】
（３）複数のＥＰＧソースのＥＰＧデータに基づき出演者リストが作成されたら（ステップＳ２１）、出演者リストを、例えば、出演者の名称の読みがアイウエオ順になるようにソートする（ステップＳ２６）。
以上のようにして、図３に示すような出演者リストが作成される。
【００２２】
Ｃ．出演者リストの利用
リモコン４１などを用いてユーザより出演者リストの表示命令が入力されると、出演者リスト記憶部２６に記憶された出演者リストはＥＰＧ画面構成部３４に送られ、出演者リストを表示するための画面情報を構成する。構成された出演者リストの画面情報は出力制御部４５および画像出力部４７を通じて図示せぬ表示装置に表示される。
【００２３】
図５は、表示装置に表示される出演者リスト表示の一例を表す図である。
番組の出演者の名称を選択して表示させることができる。ここでは、ここでは出演配列選択ボタン５１の「あ」の欄が選択されていることから、氏名の読みの１文字目が「あ」の出演者が出演者リスト欄５２に表示されている。そして、出演者リスト欄５２から「アントニオ・カルロ…」のボタンが選択されることで、選択氏名表示欄に「アントニオ・カルロス」が表示されている。
このように、出演者リストを用いることで、番組表に表された番組に出演している出演者を表示させ、選択することができる。即ち、出演者の氏名をキー等で打ち込むことなく、選択するだけで特定することができる。また、番組表に載っている番組の出演者のみが表示されることから、出演者リストの表示のみから番組表中の番組への出演の有無を確認することができる。
【００２４】
出演者リストは、例えば、番組情報の検索に利用することができる。
図６は、リモコン４１等により番組の検索等を行うための「番組ナビゲーション」用のメインメニュー画面を表示装置に表示させた状態を表す図である。
この検索欄６１の「人名で検索」ボタン６２を選択することで、図５に表された出演者リスト表示画面がウィンドウ表示される。
図７は、このようにして、図６のメインメニュー画面上に、図５の出演者リスト表示画面がウィンドウ表示された状態を表す図である。
【００２５】
ユーザは、表示装置に表示された出演者リスト表示を用いて出演者の氏名を選択して、その出演者が出演する番組を検索することができる。そして、リモコン４１などを用いて検索された番組の録画設定を行える。
システム制御部１０は、録画設定に基づいて録画処理を実行する。すなわち、システム制御部１０は、録画予約された番組の放送時刻になると放送チャンネルの選局をチューナ部３２に指示する。この指示に従ってチューナ部３２にて選局された放送信号は、暗号が解除された後、逆多重化部４３により音声信号、映像信号などに分離され、復号部４４にてそれぞれディジタル音声信号、ディジタル映像信号とされ、情報記録再生部３３にてメディアに記録される。
【００２６】
Ｄ．出演者リストの更新
出演者リストは適宜に自動更新される。例えば、定期的にＥＰＧデータを取得しその内容に基づいて出演者リストを更新する。複数のＥＰＧソースのＥＰＧデータがあることから、この更新はＥＰＧソース毎あるいは連続的に行うことができる。
【００２７】
図８は、ＥＰＧソースとしてＡＤＡＭＳを用いて出演者リストを更新する場合の更新手順の一例を示すフロー図である。
（１）ＡＤＡＭＳから出演者情報を取得する（ステップＳ３１）。即ち、ＥＰＧデータの放送時間にＥＰＧ管理部２０のＥＰＧデータ取得部２１がチューナ部３２を制御してＥＰＧデータを含む放送波を選局する。チューナ部３２より出力された信号からＥＰＧデータ信号が分離され、ディジタル信号に復調され、ＥＰＧデータ記憶部２２に記憶される。この手順は、Ａ．「ＥＰＧデータの取得」と同様である。
【００２８】
（２）出演者リストのＡＤＡＭＳフラグを０にし（ステップＳ３２）、ＡＤＡＭＳフラグとｉＮＥＴフラグの双方が０の出演者を出演者リストから削除する（ステップＳ３３）。この処置は、ＡＤＡＭＳのみに含まれる出演者を出演者リストから一旦削除することで、番組表の更新による出演者の移り変わりを反映させるためである。即ち、過去に放送された番組の出演者が出演者リストに残存したままとなることを防止するためである。
【００２９】
（３）新たに取得したＡＤＡＭＳ情報中の出演者全員が出演者リストに登録されていなければ（ステップＳ３４）、ＡＤＡＭＳ情報から出演者を順に取り出す（ステップＳ３５）。取り出した出演者の名称が未登録であれば（ステップＳ３６）、出演者リストに氏名、およびその読みを追加する（ステップＳ３７）。その後、出演者リストのＡＤＡＭＳフラグを１として（ステップＳ３８）、ＡＤＡＭＳ情報中にその出演者が存在することを登録しておく。
【００３０】
（４）ＡＤＡＭＳの情報に基づき出演者リストが更新されたら（ステップＳ３４）、出演者リストを、例えば、出演者の名称の読みがアイウエオ順になるようにソートする（ステップＳ３９）。
このようにして、出演者リストが更新される。
【００３１】
以上説明したように、この実施形態の番組記録装置１００によれば、複数のＥＰＧソースのＥＰＧデータから出演者リストを作成、更新することができる。
この複数のＥＰＧソースは、管理表にチャンネル毎に表されていることから、場合により、単一、２つ、３つ以上のＥＰＧソースをチャンネル毎に別個に設定することができる。また、出演者が複数の番組、複数のＥＰＧソースに対応する場合でも、重複が無いように整理される。
また、番組表が更新された場合でも、更新された番組表中の番組に出演している出演者のみをリストアップすることができる。
【００３２】
なお、本発明は、上述の図示例にのみ限定されるものではなく、本発明の要旨を逸脱しない範囲内において種々変更を加え得ることは勿論である。
【図面の簡単な説明】
【００３３】
【図１】本発明の一実施形態に係る番組記録装置の構成を示すブロック図である。
【図２】管理テーブルの一例を表す模式図である。
【図３】出演者リストの一例を表す模式図である。
【図４】出演者リストの作成手順の一例を示すフローチャートである。
【図５】出演者リスト表示の一例を表す図である。
【図６】番組の検索等を行うためのメインメニュー画面表示の一例を表す図である。
【図７】図６のメインメニュー画面上に、図５の出演者リスト表示画面がウィンドウ表示された状態を表す図である。
【図８】ＥＰＧソースとしてＡＧＡＭＳを用いて出演者リストを更新する場合の更新手順の一例を示すフロー図である。
【符号の説明】
【００３４】
１００…番組記録装置、１０…システム制御部、１１…ＣＰＵ、１２…ＲＯＭ１２、１３…ＲＡＭ１３、１５…バス、１６…管理テーブル、２０…管理部、２１…ＥＰＧデータ取得部、２２…ＥＰＧデータ記憶部、２３…番組表作成部、２４…番組表情報記憶部、２５…出演者リスト作成・更新部、２６…出演者リスト記憶部、２７…管理テーブル記憶部、３１…リモコンインタフェース部、３２…チューナ部、３３…情報記録再生部、３４…画面構成部、３５…ネットワーク接続部、４１…リモコン、４２…アンテナ、４３…逆多重化部、４４…復号部、４５…出力制御部、４６…音声出力部、４７…画像出力部
【図１】
2006080803.tif 000003
【図２】
2006080803.tif 000004
【図３】
2006080803.tif 000005
【図４】
2006080803.tif 000006
【図５】
2006080803.tif 000007
【図６】
2006080803.tif 000008
【図７】
2006080803.tif 000009
【図８】
2006080803.tif 000010